(57)【要約】【課題】非効率的な並行在庫を回避しつつ市場対応を可能とするために、防水仕様が相違する２つのタイプの通気口装置を共通部材化することができる通気口装置の壁面防水構造およびそのアタッチメントを提供することにある。【解決手段】通気口装置の壁面防水構造は、取付け壁面Ａに開口する通気路に嵌入しつつ通気可能な筒状嵌込部２と、その先端外周に取付けた背面プレート１１と、この背面プレート１１の外周縁から後退して上記壁面Ａに達する当接座１２とから構成され、上記当接座１２は、上記壁面Ａより後退位置に設定された後退壁面Ｂとの間に延長部材５を備え、この延長部材５は、上記当接座１２と嵌合可能な嵌合部２２と、その後端から内方に屈曲して後退壁面Ｂに達する延長座２３とから構成したものである。【選択図】図１
2006220213.tif 000002
【特許請求の範囲】
【請求項１】
通気口フードを取付ける壁面に当接してその通気路開口まわりを防水施工するための当接座からなる通気口装置の壁面防水構造において、
上記当接座は、上記壁面より後退位置に設定された後退壁面との間に延長部材を備え、この延長部材は、上記当接座と嵌合可能な嵌合部と、その後端から内方に屈曲して上記後退壁面に達する延長座とからなることを特徴とする通気口装置の壁面防水構造。
【請求項２】
通気口フードを取付ける壁面に当接してその通気路開口まわりを防水施工するための当接座と、その後端から取付け壁面に沿うように外方に折曲延出する取付けフランジとからなる通気口装置の壁面防水構造において、
上記当接座は、上記壁面より後退位置に設定された後退壁面との間に延長部材を備え、この延長部材は、上記当接座と嵌合可能な嵌合部と、その後端から上記後退壁面まで延びる延長座とからなることを特徴とする通気口装置の壁面防水構造。
【請求項３】
取付け壁面に開口する通気路に嵌入しつつ通気可能な筒状嵌込部と、その先端外周に取付けた背面プレートと、この背面プレートの外周縁から後退して上記壁面に達する当接座とからなる通気口装置の壁面防水構造において、
上記当接座は、上記壁面より後退位置に設定された後退壁面との間に延長部材を備え、この延長部材は、上記当接座と嵌合可能な嵌合部と、その後端から内方に屈曲して上記後退壁面に達する延長座とからなることを特徴とする通気口装置の壁面防水構造。
【請求項４】
取付け壁面に開口する通気路に嵌入しつつ通気可能な筒状嵌込部と、その先端外周に取付けた背面プレートと、この背面プレートの外周縁から後退して上記壁面に達する当接座と、その後端から取付け壁面に沿うように外方に折曲延出する取付けフランジとからなる通気口装置の壁面防水構造において、
上記当接座は、上記壁面より後退位置に設定された後退壁面との間に延長部材を備え、この延長部材は、上記当接座と嵌合可能な嵌合部と、その後端から上記後退壁面まで延びる延長座とからなることを特徴とする通気口装置の壁面防水構造。
【請求項５】
前記延長部材の嵌合部は、当接座の内周面に対して進退可能に仮止め可能な仮止機構を介設したことを特徴とする請求項１乃至請求項４のいずれかに記載の通気口装置の壁面防水構造。
【請求項６】
請求項１乃至請求項４のいずれかに記載の通気口装置の壁面防水構造における延長部材からなる通気口装置用アタッチメント。
【発明の詳細な説明】
【技術分野】
【０００１】
本発明は、外壁面の通気口に装着する通気口装置の壁面防水構造およびそのアタッチメントに関し、特に、防水仕様が相違する２つのタイプの通気口装置を共通部材化することができる通気口装置の壁面防水構造およびそのアタッチメントに関するものである。
【背景技術】
【０００２】
従来の通気口装置は、その構成例に関する非特許文献１等に示されるように、図６（ａ）（ｂ）の断面図にそれぞれ示す防水仕様の異なる２つのタイプの通気口装置１０１ａ、１０１ｂが使用されている。
【０００３】
図６（ａ）の通気口装置１０１ａは、筒状嵌込部１０２とその先端に接続した案内フード１０４とから構成される。筒状嵌込部１０２は取付け壁面Ａに開口する通気路Ｐに嵌込まれる。この通気口装置１０１ａは、そのほか、筒状嵌込部１０２の先端外周に取付けた背面プレート１１１と、この背面プレート１１１の外周縁から後退して上記壁面Ａに達する当接座１１２とを備える。この通気口装置１０１ａの防水仕様は、壁面Ａに取付ける際に、その当接座１１２が取付け壁面Ａと接して形成される入隅コーナーに三角形断面のシーリング材Ｔを周回状に形成して防水施工を行うものである。
【０００４】
図６（ｂ）の通気口装置１０１ｂは、シーリングの耐侯性および外観性の向上を目的とし、上記通気口装置１０１ａの当接座１１２の後端から更に内方に折曲して上記壁面Ａより後退位置に設定された後退壁面Ｂに達する折曲座１２２を構成したものである。この通気口装置１０１ｂの防水仕様は、その折曲座１２２により、後退壁面Ｂとの間に矩形断面の懐部Ｓが形成され、この懐部Ｓにシーリング材を充填施工することにより、四角シーリングと称する矩形断面の埋め込みシーリングを形成して耐侯性および外観性に優れた防水施工が可能となる。
【０００５】
しかし、上記両通気口装置１０１ａ、１０１ｂは、三角シーリング仕様のタイプのものが市場性の点において大部分を占め、四角シーリング仕様のタイプは少数派である一方で、防水仕様が互いに相違することから、市場対応のためにそれぞれの在庫が必要とされる。この場合、多様な形態の品揃えを必要とする通気口装置について、防水仕様が相違する両タイプを並行在庫することは非効率的であり、困難な問題を伴うものであった。
この問題に対して、両タイプについての非効率的な並行在庫を回避しつつ両防水仕様について市場対応できるように、構成部品の共通化等の何らかの解決策が待たれていた。
【非特許文献１】株式会社大佐カタログ「ＶＥＮＴＩＬＡＴＩＯＮ」４４頁
【発明の開示】
【発明が解決しようとする課題】
【０００６】
解決しようとする問題点は、非効率的な並行在庫を回避しつつ市場対応を可能とするために、防水仕様が相違する２つのタイプの通気口装置を共通部材化することができる通気口装置の壁面防水構造およびそのアタッチメントを提供することにある。
【課題を解決するための手段】
【０００７】
請求項１に係る発明は、通気口フードを取付ける壁面に当接してその通気路開口まわりを防水施工するための当接座からなる通気口装置の壁面防水構造において、上記当接座は、上記壁面より後退位置に設定された後退壁面との間に延長部材を備え、この延長部材は、上記当接座と嵌合可能な嵌合部と、その後端から内方に屈曲して上記後退壁面に達する延長座とからなることを特徴とする。
【０００８】
上記通気口装置の当接座を取付け壁面に当接することにより、当接座と取付け壁面とによって三角形防水シーリングに適する入隅コーナが形成され、また、通気口装置の当接座に延長部材の嵌合部を嵌合して取付け壁面に当接することにより、延長座と取付け壁面とによって埋め込み型防水シーリングに適する懐部が形成される。
【０００９】
請求項２に係る発明は、通気口フードを取付ける壁面に当接してその通気路開口まわりを防水施工するための当接座と、その後端から取付け壁面に沿うように外方に折曲延出する取付けフランジとからなる通気口装置の壁面防水構造において、上記当接座は、上記壁面より後退位置に設定された後退壁面との間に延長部材を備え、この延長部材は、上記当接座と嵌合可能な嵌合部と、その後端から上記後退壁面まで延びる延長座とからなることを特徴とする。
【００１０】
上記取付けフランジの部分について、通気口装置の当接座に延長部材の嵌合部を嵌合して取付け壁面に当接することにより、同フランジと取付け壁面との間に埋め込み型防水シーリングに適する懐部が形成される。
【００１１】
請求項３に係る発明は、取付け壁面に開口する通気路に嵌入しつつ通気可能な筒状嵌込部と、その先端外周に取付けた背面プレートと、この背面プレートの外周縁から後退して上記壁面に達する当接座とからなる通気口装置の壁面防水構造において、上記当接座は、上記壁面より後退位置に設定された後退壁面との間に延長部材を備え、この延長部材は、上記当接座と嵌合可能な嵌合部と、その後端から内方に屈曲して上記後退壁面に達する延長座とからなることを特徴とする。
【００１２】
上記通気口装置を取付け壁面に開口する通気路に筒状嵌込部を嵌入すると、背面プレートの外周縁から後退する当接座が取付け壁面に当接し、当接座と取付け壁面とによって三角形防水シーリングに適する入隅コーナが形成され、また、通気口装置の当接座に延長部材の嵌合部を嵌合して同延長部材を取付けた上で上記同様に通気路に筒状嵌込部を嵌入すると、嵌合部の後端から内方に屈曲する延長座が取付け壁面に当接し、延長座と取付け壁面とによって埋め込み型防水シーリングに適する懐部が形成される。
【００１３】
請求項４に係る発明は、取付け壁面に開口する通気路に嵌入しつつ通気可能な筒状嵌込部と、その先端外周に取付けた背面プレートと、この背面プレートの外周縁から後退して上記壁面に達する当接座と、その後端から取付け壁面に沿うように外方に折曲延出する取付けフランジとからなる通気口装置の壁面防水構造において、上記当接座は、上記壁面より後退位置に設定された後退壁面との間に延長部材を備え、この延長部材は、上記当接座と嵌合可能な嵌合部と、その後端から上記後退壁面まで延びる延長座とからなることを特徴とする。
【００１４】
上記取付けフランジの部分について、当接座に嵌合部を嵌合して延長部材を取付けた上で通気路に筒状嵌込部を嵌入すると、延長座が取付け壁面に当接し、同フランジと取付け壁面との間に埋め込み型防水シーリングに適する懐部が形成される。
【００１５】
請求項５に係る発明は、請求項１乃至請求項４のいずれかの通気口装置の壁面防水構造において、前記延長部材の嵌合部は、当接座の内周面に対して進退可能に仮止め可能な仮止機構を介設したことを特徴とする。上記延長部材は、仮止機構による簡易な着脱操作により、何れかのタイプを任意に選択できる。
【００１６】
請求項６に係る発明は、請求項１乃至請求項４のいずれかの通気口装置の壁面防水構造において、延長部材からなる通気口装置用アタッチメントを構成したものである。上記通気口装置の共用部につき、延長部材をアタッチメントとして防水仕様の異なる２つのタイプに対応することができる。
【発明の効果】
【００１７】
本発明により以下の効果を奏する。
請求項１または３に係る発明による通気口装置の壁面防水構造は、当接座による入隅コーナにコーキング材を充填付着することにより、三角形断面の防水シーリングを施工形成することができ、また、当接座に嵌合した延長部材による懐部にコーキング材を充填することにより、埋め込み型の防水シーリングを施工形成することができる。したがって、三角形断面の防水シーリング用の通気口装置を共通部材とし、その他に延長部材をアタッチメントとして準備することにより、非効率的な並行在庫を回避しつつ、耐久性と外観性に優れる埋め込み型の防水シーリングの防水仕様にも同時に対応することができる。  
【００１８】
請求項２または４に係る発明による延長部材を当接座と嵌合することにより、取付けフランジと後退壁面との間に懐部が形成される。上記構成の通気口装置の壁面防水構造は、フランジを介して壁面にねじ固定することができ、また、当接座に嵌合した延長部材による懐部にコーキング材を充填することにより、埋め込み型の防水シーリングを施工形成することができる。したがって、フランジ付きの通気口装置を共通部材とし、その他に延長部材をアタッチメントとして準備することにより、非効率的な２つの防水仕様の並行在庫を回避しつつ、耐久性と外観性に優れる埋め込み型の防水シーリングの防水仕様にも同時に対応することができる。
【００１９】
請求項５に係る発明により、延長部材は、仮止機構を介して容易に着脱可能なので、施工現場で任意に防水仕様を選択できることから、あらかじめ延長部材を組み込んで共用の通気口装置として構成し、防水仕様によるタイプ別管理を要することなく、簡易な取扱いが可能となる。
【００２０】
請求項６に係る発明による延長部材をアタッチメントとすることにより、通気口装置の共用部について別仕様２つのタイプの防水シーリングに対応することができる。
【発明を実施するための最良の形態】
【００２１】
本発明の実施の形態について以下に図面に基づいて詳細に説明する。
本発明を具体的に構成した通気口装置１は、図１の断面図に示すように、取付け壁面Ａに開口する通気路Ｐに嵌入する筒状嵌込部２と、壁面Ａから突出して筒状嵌込部２に取付けた案内フード４とから構成され、壁面Ａから後退して設定した後退壁面Ｂとの間には、着脱可能に延長部材５を着脱可能に設ける。
【００２２】
案内フード４は、通気路Ｐの開口部を覆うようにして雨水の侵入を防止可能に構成し、必要により、吸音材、防火シャッター等を内設し、また、化粧材により着脱可能に構成する。
筒状嵌込部２には、その先端外周に取付けた背面プレート１１と、この背面プレート１１の外周縁から後退して壁面Ａに達する当接座１２を設ける。この当接座１２により、取付け壁面Ａと接して形成される入隅コーナーにコーキング材を充填付着することにより、三角形断面の防水シーリングＴの施工形成が可能となる。
【００２３】
延長部材５は、上記当接座１２の内周面に嵌合し、または、背面プレート１１等に取り付けが可能な嵌合部２２と、その後端から内方に屈曲して後退壁面Ｂに達する延長座２３とにより構成する。この延長座２３により、後退壁面Ｂとの間に懐部Ｓが形成されることから、この懐部Ｓにコーキング材を充填することにより、防水シーリングを施工形成することができる。特に、懐部Ｓの断面形状が矩形となるように延長座２３を接続部２３ｃから直角に折曲して形成することにより、当接座１２の背後に埋め込まれる矩形断面の四角シーリングによる耐侯性および外観性に優れた壁面防水が可能となる。この場合、必要により、背面プレート１１と接続部２３ｃに貫通孔を形成して固定ねじ１３を挿通することにより壁面に固定する。
【００２４】
延長部材５の嵌合部２２には、図２の拡大断面図に示すように、外方に切り起こした弾性舌片２２ｆ等による仮止機構２２ｆを構成する。仮止機構２２ｆは、当接座１２に対して進退動作可能に仮止めするものであり、小突起その他の一般的な形態を適用することによっても同様に構成することができる。この仮止機構２２ｆにより、図３の分解斜視図に示すように、延長部材５を着脱容易なアタッチメントとして取扱うことができる。
【００２５】
上述の如く構成された通気口装置１は、図６（ａ）の三角シーリング仕様タイプの通気口装置１０１ａにアタッチメントとしての延長部材５を取付けることにより、図６（ｂ）の四角シーリング仕様タイプ１０１ｂに切替えることができる。したがって、多様な形態の品揃えを必要とする通気口装置について、両方の防水仕様の並行在庫を要することなく、三角シーリング仕様タイプのものと、必要量のアタッチメントを準備することによって両方の防水仕様で市場対応が可能となる。また、アタッチメントを当初から一体的に取付けおくことにより、仕様別管理を省略することができる。
【００２６】
次に、図４の拡大断面図に示すように、三角シーリングタイプの通気口装置にフランジ１２ｆを備えるタイプのものについて説明する。フランジ１２ｆは、固定ねじ１３で壁面Ａに固定するために、当接座１２から外方に折曲して構成される。この部分については、フランジ１２ｆの背面に上記四角シーリングＳ用の懐部を形成するべく、延長部材５の嵌合部２２からそのまま後退壁面Ｂまで延長座２３を延長してアタッチメントを構成する。
【００２７】
上記フランジ１２ｆが通気口装置１の外周の上辺部に位置する場合は、延長部材５ａは、図５の側面図（ａ）および背面図（ｂ）に示すように、そのフランジ１２ｆと対応するように、上辺部に上記延長座２３を、他の３辺は前記接続部２３ｃを介して延長座２３を構成する。このような延長部材５ａをアタッチメントとして準備することにより、フランジ付きの延長座を有する通気口装置について対応することができる。
【００２８】
なお、以上の説明における通気口装置の壁面防水構造は、壁面に当接する防水施工用の当接座によるものについて広く適用されることが明らかであることから、筒状嵌込部や背面プレートの有無にかかわることなく、壁面フード型やフードが一体構成および着脱構成のものを含む広汎な通気口装置が本発明の適用対象となるものである。
【図面の簡単な説明】
【００２９】
【図１】本発明の通気口装置の断面図である。
【図２】延長部材の嵌合部の拡大断面図にである。
【図３】通気口装置の分解斜視図である。
【図４】別例の延長部材の拡大断面図である。
【図５】図４の延長部材の側面図（ａ）および背面図（ｂ）である。
【図６】従来の２つのタイプの通気口装置の構成例の断面図である。
【符号の説明】
【００３０】
１    通気口装置
２    筒状嵌込部
４    案内フード
５    延長部材
５    延長部材
５ａ    延長部材
１１    背面プレート
１２    当接座
１２ｆ    フランジ
２２    嵌合部
２２ｆ    弾性舌片（仮止機構）
２３    延長座
２３ｃ    接続部
Ａ    壁面
Ｂ    後退壁面
Ｐ    通気路
Ｓ    四角シーリング（懐部）
Ｔ    三角シーリング（入隅コーナ）
【図１】
2006220213.tif 000003
【図２】
2006220213.tif 000004
【図３】
2006220213.tif 000005
【図４】
2006220213.tif 000006
【図５】
2006220213.tif 000007
【図６】
2006220213.tif 000008